【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
接続システムを備えた自動標準品サンプリング装置であって、
前記接続システムが、オンライン流動液体サンプルを分析計入口流路に流体的且つ電子的に結合するか、又は標準品バイアル組立体内の２つ以上のバイアルそれぞれからの一部を所定の順序で前記分析計入口流路に個別に送るように、又はその代わりに別の液体の一部を前記分析計入口流路に送るように、前記標準品バイアル組立体に収容された複数の標準品バイアルを前記装置内に定期的に結合し、
前記装置が、
（ａ）複数の流れ選択流体入口を提供する単一の機能的流れ選択要素であって、前記各流れ選択流体入口が、前記分析計入口流路と連通する前記要素の共通の内部領域と流体連通する、単一の機能的流れ選択要素と、
（ｂ）前記装置が操作のオンラインモードで稼動しているときに、オンライン流動液体サンプルを、前記装置に流した後に前記流れ選択流体入口の１つに流すための、オンラインサンプル入口及び関連の導管と、
（ｃ）それぞれが標準品バイアル組立体のバイアルを収容するようにサイズ決定及び構成された複数のバイアル受け入れ構造を備えると共に、適当な標準品バイアル組立体の合致する対応機構に対応させられる対応機構を備え、前記対応機構は、前記標準品バイアル組立体が前記受け入れ組立体と用いられるように適合し且つ挿入のために適切に配置されない限り、前記標準品バイアル組立体が前記受け入れ組立体に挿入されるのを防止する、標準品バイアル受け入れ組立体と、
（ｄ）前記受け入れ組立体に挿入された標準品バイアル組立体の２つ以上の標準品バイアルそれぞれから、別個の流れ選択流体入口に別個の接続を提供する、流体接続システムと、
（ｅ）前記オンライン液体サンプル又はその代わりに一連の個別部分を、適切に配置された標準品バイアル組立体の２つ以上の標準品バイアルから前記分析計入口流路に所定の順序で送るように、又は任意に別の液体を前記分析計入口流路に定期的に送るように、前記流体接続システムを操作可能である、コンピュータ情報読み取り及び制御システムと
を組み合わせて備える、自動標準品サンプリング装置。
【請求項２】
前記分析計入口流路への液体の流れを制御及び順序付けするように、前記コンピュータ制御システムによって操作される流体流れ制御要素をさらに備える、請求項１に記載の自動標準品サンプリング装置。
【請求項３】
前記接続システムは、システム制御に必要なデータを提供すると共に相互接続された、流体の感知要素、情報読み取り要素、順序付け要素、及び流れ制御要素を備える、請求項１に記載の自動標準品サンプリング装置。
【請求項４】
前記感知要素、前記情報読み取り要素、前記順序付け要素、及び前記流れ制御要素のそれぞれを接続する電気接続ネットワークをさらに備える、請求項３に記載の自動標準品サンプリング装置。
【請求項５】
前記流体接続システムは、関連の流体導管に接続される少なくとも１つのサンプルニードルと、バイアルセット受け入れ組立体の各バイアル受け入れ構造用の少なくとも１つのベントニードルとをさらに備える、請求項１に記載の自動標準品サンプリング装置。
【請求項６】
前記サンプルニードル及び前記ベントニードルは、同軸ニードル構造で構成され、
前記標準品バイアル組立体が前記受け入れ組立体に挿入されると、ニードル端部が前記標準品バイアル組立体の標準品バイアルの穿刺可能なセプタムを穿刺することにより、前記バイアルの内部を前記関連の流体導管と流体接続する、請求項５に記載の自動標準品サンプリング装置。
【請求項７】
分析される液体と分析前に接触する全ての装置構成要素及び表面は、実質的に不活性な材料から作製される、請求項１に記載の自動標準品サンプリング装置。
【請求項８】
請求項１ないし７のいずれか１項に記載の自動標準品サンプリング装置を、液体分析計と組み合わせて備える、総合液体分析ユニット。
【請求項９】
請求項１ないし７のいずれか１項に記載の自動標準品サンプリング装置を、ＴＯＣ分析計と組み合わせて備える、総合液体分析ユニット。
【請求項１０】
自動標準品サンプリングのためのシステムであって、
請求項８又は９に記載の総合液体分析ユニットを、前記受け入れ組立体への挿入用に適合された少なくとも１つの標準品バイアル組立体と組み合わせて備え、
前記各標準品バイアル組立体は、複数の標準品バイアルと、前記バイアルを互いに固定関係で保持するバイアル保持構造とを備える、システム。
【請求項１１】
前記各標準品バイアル組立体は、前記標準品バイアル組立体全体に関する情報及び前記標準品バイアル組立体内の各個別の標準品バイアルに関する情報を含む、情報認識及び通信システムをさらに備える、請求項１０に記載のシステム。
【請求項１２】
前記情報認識及び通信システムは電子メモリストレージデバイスである、請求項１１に記載のシステム。
【請求項１３】
前記情報認識及び通信システムはバーコード読み取りデバイスである、請求項１１に記載のシステム。
【請求項１４】
標準品バイアル組立体の各標準品バイアルに異なる標準液が入っている、請求項１１に記載のシステム。
【請求項１５】
標準品バイアル組立体が、物理的機構によって前記自動標準品サンプリング装置の前記標準品バイアル受け入れ組立体に対応させられる、請求項１０に記載のシステム。
【請求項１６】
標準品バイアル組立体の２つの隣接する標準品バイアル間の間隔が、前記標準品バイアル組立体の他の隣接するバイアル間の間隔とは異なる間隔であり、
さらに、前記標準品バイアル組立体の前記異なる間隔は、前記自動標準品サンプリング装置の前記標準品バイアル受け入れ組立体の対応するバイアル受け入れ構造間の異なる間隔に対応する、請求項１０に記載のシステム。
【請求項１７】
前記流れ選択要素は、ハブ弁内部領域に接続する複数の流体入口と前記ハブ弁内部領域からのハブ流体出口とを有するハブ弁を備える、請求項１に記載の自動標準品サンプリング装置。
【請求項１８】
前記ハブ流体出口は流体導管の第１の端に接続され、前記流体導管の他端は液体分析計に接続される、請求項１７に記載の自動標準品サンプリング装置。
【請求項１９】
さらに、前記ハブ流体出口は流体導管の第１の端に接続され、前記流体導管の他端はＴＯＣ分析計に接続される、請求項１７に記載の自動標準品サンプリング装置。
【請求項２０】
自動標準品サンプリング装置を操作する方法であって、
前記自動標準品サンプリング装置が、オンライン流動液体サンプルを分析計入口流路に送るか、又は標準品バイアル組立体内の２つ以上のバイアルそれぞれからの一部を所定の順序で前記分析計入口流路に個別に送るように、又はその代わりに別の液体の一部を前記分析計入口流路に送るように、バイアル受け入れ部材を備える前記装置のバイアル受け入れ部分内に着座した前記標準品バイアル組立体に収容された複数の標準品バイアルを前記装置内に定期的に結合し、
前記方法が、
（ａ）複数の流れ選択流体入口を有する単一の機能的流れ選択要素を設けるステップであって、前記各流れ選択流体入口が、前記分析計入口流路と連通する前記要素の共通の内部領域と流体連通する単一の機能的流れ選択要素を、設けるステップと、
（ｂ）前記装置が操作のオンラインモードで稼動しているときに、オンライン流動液体サンプルを、オンラインサンプル入口を通して前記装置に流した後にオンラインサンプル導管を通して前記流れ選択流体入口の１つに流すステップと、
（ｃ）システム適合性試験モードで定期的に操作するステップであって、前記流れ選択要素へのオンライン流動液体サンプルの流れを停止させるステップと、前記バイアルの２つ以上から前記分析計入口流路に標準品部分を個別に送るように、前記流れ選択要素内に、一度に１つずつ別個の流れ選択流体入口を通して所定の順序で、適切に結合された標準品バイアル組立体に収容された２つ以上の標準品バイアルを結合するステップとを含み、
前記標準品バイアル組立体が、前記装置の合致する対応機構に対応させられる対応機構を備え、
前記対応機構は、前記標準品バイアル組立体が前記サンプリング装置と用いられるように適合し且つ前記標準品部分の適切な順序を確保するのに正しい向きになっていない限り、前記標準品バイアル組立体の前記標準品バイアルが前記流れ選択要素内に結合されるのを防止する、ステップと、
（ｄ）前記流れ選択要素への液体の流れを制御する流体流れ制御要素のシステムを設けるステップと、
（ｅ）前記操作のオンラインモードであるときに前記オンライン流動液体サンプルを前記分析計入口流路に送るように、又は前記システム適合性試験モードであるときに標準品部分を前記結合された標準品バイアル組立体に収容された２つ以上の標準バイアルから前記分析計入口流路に所定の順序で送るように、前記装置を自動的に操作するコンピュータ情報読み取り及び制御システムを設けるステップと
を含む、方法。
【請求項２１】
前記自動標準品サンプリング装置は、複数のニードル組立体と各ニードル組立体に関連する導管とによって、結合された標準品バイアル組立体に収容された前記標準品バイアルに結合し、
各ニードル組立体は、標準品バイアルの穿刺可能なセプタムを穿刺し、
前記導管は、標準品バイアルの内部と流れ選択流体入口との間に流体流路を提供する、請求項２０に記載の方法。
【請求項２２】
前記各ニードル組立体は、少なくとも１つのサンプルニードル及び少なくとも１つのベントニードルを備える、請求項２１に記載の方法。
【請求項２３】
前記サンプルニードル及び前記ベントニードルは、同軸ニードル構造で構成される、請求項２２に記載の方法。
【請求項２４】
さらに、前記コンピュータ制御システムによって操作される流れ制御要素が、前記分析計入口流路への液体の流れを制御及び順序付けする、請求項２０に記載の方法。
【請求項２５】
前記コンピュータ情報読み取り及び制御システムは、システム制御に必要なデータを提供すると共に相互接続された、流体の感知要素、情報読み取り要素、順序付け要素、及び流れ制御要素を備える、請求項２０に記載の方法。
【請求項２６】
前記コンピュータ情報読み取り及び制御システムは、前記感知要素、前記情報読み取り要素、前記順序付け要素、及び前記流れ制御要素のそれぞれを接続する電気接続ネットワークをさらに備える、請求項２５に記載の方法。
【請求項２７】
分析前においては、分析される液体を実質的に不活性な材料から作製される表面にのみ接触させるステップをさらに備える、請求項２０に記載の方法。
【請求項２８】
前記標準品バイアル組立体のバイアル保持構造は、前記個別の標準品バイアルを互いに固定関係で保持する、請求項２０に記載の方法。
【請求項２９】
前記各標準品バイアル組立体は、前記標準品バイアル組立体全体に関する情報及び前記標準品バイアル組立体内の各個別の標準品バイアルに関する情報を含む、情報認識及び通信システムをさらに備える、請求項２０に記載の方法。
【請求項３０】
前記情報認識及び通信システムは電子メモリストレージデバイスである、請求項２９に記載の方法。
【請求項３１】
前記情報認識及び通信システムはバーコード読み取りデバイスである、請求項２９に記載の方法。
【請求項３２】
標準品バイアル組立体の各標準品バイアルに異なる標準液が入っている、請求項２９に記載の方法。
【請求項３３】
標準品バイアル組立体が、物理的機構によって前記自動標準品サンプリング装置に対応させられる、請求項２０に記載の方法。
【請求項３４】
標準品バイアル組立体の２つの隣接する標準品バイアル間の間隔が、前記標準品バイアル組立体の他の隣接するバイアル間の間隔とは異なる間隔であり、
さらに、前記標準品バイアル組立体の前記異なる間隔は、前記自動標準品サンプリング装置の対応するバイアル受け入れ部材間の異なる間隔に対応する、請求項３３に記載の方法。
【請求項３５】
前記分析計入口流路を流体分析計に接続するステップをさらに含む、請求項２０ないし３４のいずれか１項に記載の方法。
【請求項３６】
前記分析計入口流路をＴＯＣ分析計に接続するステップをさらに含む、請求項２０ないし３４のいずれか１項に記載の方法。